(57)【要約】【課題】電子教科書を用いた授業の授業データのうち、各生徒の所望の授業データを簡易に配信する。【解決手段】授業データ管理装置は、教科書データを用いた授業が記録された授業データを管理し、授業において、教師端末から教科書データの説明開始タイミング情報、及び生徒端末から教科書データの確認タイミング情報を受信する通信部と、教師及び生徒の各個人情報、授業情報、授業データ、並びに説明開始タイミング情報及び確認タイミング情報を保存するデータベースと、確認タイミング情報の受信時から最も近い以前に受信された説明開始タイミング情報を抽出する説明開始起点抽出部と、抽出された説明開始タイミング情報を再生起点として再生可能な授業データのファイルを取得する授業データ取得部とを備える。通信部は、取得された授業データを生徒端末に送信する。【選択図】図５
2013011668.tif 000002
【特許請求の範囲】
【請求項１】
教科書データを用いた授業が記録された授業データを管理する授業データ管理装置であって、
前記授業において、教師端末から前記教科書データの説明開始タイミング情報、及び生徒端末から前記教科書データの確認タイミング情報を受信する通信部と、
前記教師端末及び前記生徒端末を用いる教師及び生徒の各個人情報、前記授業の授業情報、前記記録された前記授業データ、並びに前記通信部により受信された前記説明開始タイミング情報及び前記確認タイミング情報を保存するデータベースと、
前記教師及び生徒の各個人情報及び前記授業情報を基に、前記確認タイミング情報の受信時から最も近い以前に受信された前記説明開始タイミング情報を抽出する説明開始起点抽出部と、
前記説明開始起点抽出部により抽出された前記説明開始タイミング情報を再生起点として再生可能な前記授業データのファイルを取得する授業データ取得部と、を備え、
前記通信部は、前記授業データ取得部により取得された前記授業データを前記生徒端末に送信する授業データ管理装置。
【請求項２】
請求項１に記載の授業データ管理装置であって、
前記記録された前記授業データを基に、前記受信された前記説明開始タイミング情報を再生起点として再生可能な授業データのファイルを生成する授業データ生成部と、を更に備え、
前記授業データ取得部は、前記授業データ生成部により生成された授業データのファイルを取得する授業データ管理装置。
【請求項３】
請求項１に記載の授業データ管理装置であって、
前記受信された前記説明開始タイミング情報を再生起点として、前記記録された前記授業データのファイルを再生する旨の再生指示を生成する授業データ生成部と、を更に備え、
前記授業データ取得部は、前記授業データ生成部により生成された前記再生指示及び前記記録された前記授業データのファイルを、前記説明開始タイミング情報を再生起点として再生可能な授業データのファイルとして取得する授業データ管理装置。
【請求項４】
請求項１〜３のうちいずれか一項に記載の授業データ管理装置であって、
前記教師、前記授業情報、前記説明開始タイミング情報、前記授業のキーワード及び前記授業データ取得部により取得された前記授業データのファイルを関連付ける授業データ関連情報を生成する授業データ関連情報生成部と、を更に備える授業データ管理装置。
【請求項５】
請求項４に記載の授業データ管理装置であって、
前記説明開始起点抽出部は、前記授業データ関連情報生成部により生成された前記授業データ関連情報を基に、同一の前記授業のキーワードを有する他の教師の授業データの説明開始タイミング情報を抽出する授業データ管理装置。
【請求項６】
請求項２〜５のうちいずれか一項に記載の授業データ管理装置であって、
前記授業データ生成部は、前記データベースに保存された前記授業データのうち、音声データの音量レベルが第１所定レベル以下であって、前記教師端末から送信された前記教師端末の操作データを基に前記教師端末からの操作が第２所定時間以上ない場合に、前記第２所定時間分の前記授業データを削除する授業データ管理装置。
【請求項７】
請求項６に記載の授業データ管理装置であって、
前記第２所定時間分の前記授業データの削除に応じて、前記第２所定時間以降の前記授業データに対して前記生徒端末から送信された前記確認タイミング情報の入力時刻を更新する確認タイミング情報保存更新部と、を更に備える授業データ管理装置。
【請求項８】
請求項１〜７のうちいずれか一項に記載の授業データ管理装置であって、
前記教師端末及び前記生徒端末の各表示画面に表示されている各教科書データの内容を比較する教科書内容比較部と、を更に備え、
前記教科書内容比較部は、各々の前記表示画面に表示されている各教科書データが第３所定時間以上異なる場合に、前記第３所定時間の終了時刻を入力時点とした前記確認タイミング情報を前記データベースに保存する授業データ管理装置。
【請求項９】
請求項１〜８のうちいずれか一項に記載の授業データ管理装置であって、
前記通信部は、前記教師端末から前記教科書データのタイトル又はタイトル番号の選択操作が入力された場合に、前記教師端末から送信された前記説明開始タイミング情報を受信する授業データ管理装置。
【請求項１０】
請求項１〜９のうちいずれか一項に記載の授業データ管理装置であって、
前記通信部は、カメラ部を有する前記生徒端末から前記生徒の第４所定時間以上のフレームアウトが検出された場合に、前記生徒端末から前記確認タイミング情報を受信する授業データ管理装置。
【請求項１１】
教師端末と、生徒端末と、前記教師端末及び前記生徒端末の間で教科書データを用いた授業が記録された授業データを管理する授業データ管理装置とを含む授業データ管理装置であって、
前記授業データ管理装置は、
前記授業において、前記教師端末から前記教科書データの説明開始タイミング情報、及び前記生徒端末から前記教科書データの確認タイミング情報を受信する通信部と、
前記教師端末及び前記生徒端末を用いる教師及び生徒の各個人情報、前記授業の授業情報、前記記録された前記授業データ、並びに前記通信部により受信された前記説明開始タイミング情報及び前記確認タイミング情報を保存するデータベースと、
前記教師及び生徒の各個人情報及び前記授業情報を基に、前記確認タイミング情報の受信時から最も近い以前に受信された前記説明開始タイミング情報を抽出する説明開始起点抽出部と、
前記説明開始起点抽出部により抽出された前記説明開始タイミング情報を再生起点として再生可能な前記授業データのファイルを取得する授業データ取得部と、を備え、
前記通信部は、前記授業データ取得部により取得された前記授業データを前記生徒端末に送信する授業データ管理システム。
【発明の詳細な説明】
【技術分野】
【０００１】
本発明は、電子教科書を用いた授業の授業データを効率的に管理する授業データ管理装置及び授業データ管理システムに関する。
【背景技術】
【０００２】
昨今のタブレット端末若しくはスマートフォン等の電子機器の著しい高性能化及び低価格化によって、学校等の授業において各教師及び各生徒が上述した電子機器を用いて、画面上に電子教科書を表示して授業を進めるというＩＴ（Information Technology）授業に注目が集まっている。
【０００３】
又、ハードディスク等の記録媒体の高容量化、低価格化及びデータの圧縮技術の発展に伴い、映像等の大容量のコンテンツの記録を容易に行うことが出来るようになってきた。
【０００４】
この様な背景の下で、ＩＴ授業中には、生徒が教師の説明内容を理解できない、或いは説明内容を聞き逃した内容を後で再生して閲覧したいというニーズを満たすために、リアルタイムな授業の内容を電子データとして記録し、授業後に生徒が復習のために視聴するという方法が用いられると考えられる。しかしながら、再度視聴したい部分は生徒それぞれで異なり、各生徒が再確認したい部分のために、各生徒が個々に授業データを記録するのは非効率であるし、授業データの全体を最初から視聴し若しくは自己が視聴したい部分を探して視聴することも非効率である。
【０００５】
この様にユーザが視聴したいと考える部分を効率的に再生するための技術として、例えば特許文献１の情報再生サーバ装置、情報再生装置及び情報再生方法が知られている。
【０００６】
特許文献１では、或る一定時間に相当する分量を上限として放送中の番組データを常に記録すると共に、離席時に端末からの情報記録指示を基に同番組データの記録を継続する。記録された番組データの再生時においては、情報記録指示を受けた時点からその一定時間ほど遡った分の番組データと、情報記録指示を受けた時点以降に記録された番組データとを、離席時以降の番組データとして再生する。これにより、端末の利用者は、予期できない離席等のために放送中の番組の視聴を中断した場合でも、映像や音声情報の流れを失わずに観賞することができる。
【先行技術文献】
【特許文献】
【０００７】
【特許文献１】特開平１１−１７７９６２号公報
【発明の概要】
【発明が解決しようとする課題】
【０００８】
特許文献１の情報再生方法を上述したＩＴ授業に適用した場合には、中断の時点は、各生徒が教師の授業内容を理解できなくなった時点若しくは後で確認したいと考える時点に相当すると考えられる。中断の時点は、各生徒が理解できなくなった若しくは後で確認したいと考える授業内容に対して教師が説明を開始した時点であるとは限らない。特許文献１の様に或る一定時間に相当する分量を上限として授業データを常に記録した場合であっても、各生徒が理解できなくなった若しくは後で確認したいと考える時点より少し前に遡って授業内容を視聴することはできる。
【０００９】
しかしながら、各生徒が後で確認したいと考える時点は生徒毎に異なるため、特許文献１の情報再生方法をＩＴ授業に適用した場合には、各生徒が理解できなくなった若しくは後で確認したいと考える時点は、各生徒が希望する授業内容に対して教師が説明を開始した時点と一致することは困難であると考えられる。
【００１０】
本発明は、上述した従来の事情に鑑みてなされたものであり、電子教科書を用いた授業の授業データに対して、教師から入力された授業内容の説明開始時点及び各生徒から入力された授業内容の再視聴の入力時点を効率的に管理し、各生徒の所望の授業データを簡易に配信する授業データ管理装置及び授業データ管理システムを提供することを目的とする。
【課題を解決するための手段】
【００１１】
本発明は、上述した授業データ管理装置であって、教科書データを用いた授業が記録された授業データを管理する授業データ管理装置であって、前記授業において、教師端末から前記教科書データの説明開始タイミング情報、及び生徒端末から前記教科書データの確認タイミング情報を受信する通信部と、前記教師端末及び前記生徒端末を用いる教師及び生徒の各個人情報、前記授業の授業情報、前記記録された前記授業データ、並びに前記通信部により受信された前記説明開始タイミング情報及び前記確認タイミング情報を保存するデータベースと、前記教師及び生徒の各個人情報及び前記授業情報を基に、前記確認タイミング情報の受信時から最も近い以前に受信された前記説明開始タイミング情報を抽出する説明開始起点抽出部と、前記説明開始起点抽出部により抽出された前記説明開始タイミング情報を再生起点として再生可能な前記授業データのファイルを取得する授業データ取得部と、を備え、前記通信部は、前記授業データ取得部により取得された前記授業データを前記生徒端末に送信する。
【００１２】
又、本発明は、教師端末と、生徒端末と、前記教師端末及び前記生徒端末の間で教科書データを用いた授業が記録された授業データを管理する授業データ管理装置とを含む授業データ管理装置であって、前記授業データ管理装置は、前記授業において、前記教師端末から前記教科書データの説明開始タイミング情報、及び前記生徒端末から前記教科書データの確認タイミング情報を受信する通信部と、前記教師端末及び前記生徒端末を用いる教師及び生徒の各個人情報、前記授業の授業情報、前記記録された前記授業データ、並びに前記通信部により受信された前記説明開始タイミング情報及び前記確認タイミング情報を保存するデータベースと、前記教師及び生徒の各個人情報及び前記授業情報を基に、前記確認タイミング情報の受信時から最も近い以前に受信された前記説明開始タイミング情報を抽出する説明開始起点抽出部と、前記説明開始起点抽出部により抽出された前記説明開始タイミング情報を再生起点として再生可能な前記授業データのファイルを取得する授業データ取得部と、を備え、前記通信部は、前記授業データ取得部により取得された前記授業データを前記生徒端末に送信する。
【００１３】
上述した構成によれば、電子教科書を用いた授業の授業データに対して、教師から入力された授業内容の説明開始時点及び各生徒から入力された授業内容の再視聴の入力時点を効率的に管理し、各生徒の所望の授業データを簡易に配信することができる。
【発明の効果】
【００１４】
本発明によれば、電子教科書を用いた授業の授業データに対して、教師から入力された授業内容の説明開始時点及び各生徒から入力された授業内容の再視聴の入力時点を効率的に管理し、各生徒の所望の授業データを簡易に配信することができる。
【図面の簡単な説明】
【００１５】
【図１】授業データ管理システムのシステム構成の一例を示すシステム構成図
【図２】第１の実施形態の教師端末のハードウェア構成の一例を示すブロック図
【図３】第１の実施形態の生徒端末のハードウェア構成の一例を示すブロック図
【図４】第１の実施形態の授業データ管理装置のハードウェア構成の一例を示すブロック図
【図５】（Ａ）教師端末における説明開始タイミングの入力時刻と生徒端末における確認タイミングの入力時刻とを示したタイムチャート、（Ｂ）教師端末における説明開始タイミングの入力時刻と生徒端末における確認タイミングの入力時刻とをテーブル形式で示した説明図
【図６】第１の実施形態における授業データ関連情報をテーブル形式で示した説明図
【図７】第１の実施形態の教師端末、生徒端末、ビデオカメラ及び授業データ管理装置における授業開始時点から授業終了時点までの各動作を説明するシーケンス図
【図８】（Ａ）教師端末の表示画面の例示図、（Ｂ）生徒端末の表示画面の例示図
【図９】第１の実施形態の生徒端末及び授業データ管理装置における授業後の各動作を説明するシーケンス図
【図１０】第２の実施形態における授業データ関連情報をテーブル形式で示した説明図
【図１１】第２の実施形態の生徒端末及び授業データ管理装置において生徒が授業終了後に復習する場合の各動作を説明するシーケンス図
【図１２】授業データ全体のうち生徒端末からの確認タイミング情報の入力がなかったデータ区間の授業データの削除を説明するタイムチャート
【図１３】無音無操作期間の授業データの削除を説明するタイムチャート
【図１４】教師端末においてタイトル（章）又はページの切替時に説明開始タイミングを送信する動作を説明する説明図
【図１５】教師端末におけるタイトル（章）又はページの切替に応じて説明開始タイミング情報を送信する動作を説明するフローチャート
【図１６】教師端末及び生徒端末の教科書データが一定時間以上異なる場合に確認タイミング情報を保存する動作を説明する説明図
【図１７】教師端末及び生徒端末の教科書データが一定時間以上異なる場合に確認タイミング情報を保存する動作を説明するフローチャート
【図１８】カメラを有する生徒端末において生徒が一定時間以上フレームアウトしている場合に授業データ管理装置が確認タイミング情報を保存する動作を説明するフローチャート
【図１９】授業データ管理システムのシステム構成の他の一例を示すシステム構成図
【図２０】（Ａ）授業データ管理システムにおける教師端末のハードウェア構成の他の一例を示すブロック図、（Ｂ）教師端末の制御部の内部構成を示すブロック図
【図２１】（Ａ）授業データ管理システムにおける生徒端末のハードウェア構成の他の一例を示すブロック図、（Ｂ）生徒端末の制御部の内部構成を示すブロック図
【発明を実施するための形態】
【００１６】
（第１の実施形態）
以下、本発明に係る授業データ管理装置及び授業データ管理システムの実施形態について、図面を参照して説明する。図１は、授業データ管理システム１００のシステム構成の一例を示すシステム構成図である。授業データ管理システム１００は、それぞれネットワークＮＷに接続された教師端末１０、複数の生徒端末３０−１，３０−２，…，３０−ｎ、授業データ管理装置５０及ビデオカメラ７０を含む構成である。授業データ管理システム１００において生徒端末の数は１つでも良い。以下、生徒端末の構成及び動作は同様であるため、生徒端末３０−１を例示して説明する。
【００１７】
授業データ管理システム１００を構成する教師端末１０及び生徒端末３０−１は、例えばＰＣ（Personal Computer）、ＰＤＡ（personal digital assistant）及びタブレット端末又は電子書籍端末等の電子機器である。
【００１８】
なお、本発明は、教師端末１０、生徒端末３０−１、授業データ管理装置５０の様な装置、又は教師端末１０、生徒端末３０−１、授業データ管理装置５０をコンピュータとして動作させるためのプログラムとして表現することも可能である。更に、本発明は、教師端末１０、生徒端末３０−１、授業データ管理装置５０によりそれぞれ実行される各処理（ステップ）を含む各授業データ管理方法として表現することも可能である。即ち、本発明は、装置、方法及びプログラムのうちいずれのカテゴリーでも表現可能である。
【００１９】
以下、教師端末１０を用いる教師と、及び単一の生徒端末３０−１若しくは複数の生徒端末３０−１〜３０−ｎを用いる各生徒との間で行われる授業中における教師の音声データ及び当該授業を録音及び録画して授業データとして保存することを「授業データを記録する」と記載する。
【００２０】
第１の実施形態の授業データ管理システム１００の構成及び動作について、図１〜図９を参照して説明する。なお、図１の授業データ管理システム１００においては、ビデオカメラ７０が含まれる様に構成されているが、教師端末１０がビデオカメラ７０の機能を含む様に構成しても良い。
【００２１】
（教師端末）
図２は、第１の実施形態の教師端末１０のハードウェア構成の一例を示すブロック図である。教師端末１０は、図２に示す様に、制御部１１、タイマ１２、操作部１３、メモリ１４、出力制御部１５、出力部１６、記録制御部１７、通信部１８、操作内容監視部１９、ＲＡＭ２０及びＲＯＭ２１を含む構成である。
【００２２】
制御部１１は、教師端末１０に内蔵されるＣＰＵ（Central Processing Unit）を用いて構成され、教師端末１０の各部の動作を制御する。制御部１１の動作の詳細は、図７を参照して後述する。
【００２３】
タイマ１２は、教師端末１０に内蔵されるクロック回路（不図示）を用いて構成され、同クロック回路から与えられるクロックを教師端末１０のシステムクロックとしてカウントする。タイマ１２によりカウントされたクロック、即ち教師端末１０のシステムクロック（時計情報）は、制御部１１に出力されている。なお、図２においては、タイマ１２と制御部１１とは、それぞれ別に構成されるものとして示したが、タイマ１２は制御部１１の中に含まれる様に構成されても良い。
【００２４】
操作部１３は、ユーザ（教師）が教師端末１０に対する操作を入力するためのユーザインタフェースであり、ユーザ（教師）の操作内容に応じた操作信号を制御部１１及び操作内容監視部１９にそれぞれ出力する。なお、図２においては、操作部１３と操作内容監視部１９との間の矢印の図示は省略している。
【００２５】
操作部１３は、例えば教師端末１０がノートＰＣ、タブレット端末、ＰＤＡ及び電子書籍端末のうちいずれかの電子機器である場合には、電子機器に内蔵されるキーボードにより構成可能である。操作部１３は、出力部１６がＬＣＤ（Liquid Crystal Display）を用いて構成されている場合において出力部１６の上に配置され、ユーザ（教師）の指又はスタイラスペン等による入力操作を受け付け可能なタッチパネルを用いて構成されても良い。また、図２において操作部１３は教師端末１０に含まれる様に構成されているが、操作部１３が教師端末１０に含まれずに教師端末１０に接続されて使用可能とされる場合には操作部１３は例えばマウス又は外付けキーボード等を用いて構成されても良い。
【００２６】
メモリ１４は、教師端末１０に内蔵されるハードディスク又はフラッシュメモリを用いて構成され、記録制御部１７の制御の下でビデオカメラ７０によって記録された授業データを保存する。また、メモリ１４は、授業においてユーザ（教師）が出力部１６に出力（表示）されている教科書データに対して行った操作の内容（例：色マーカで下線をひく等）である操作データを保存する。
【００２７】
更に、メモリ１４は、授業においてユーザ（教師）が出力部１６の表示画面に表示されている教科書データのページ又はタイトル（章）をタッチ操作もしくは選択操作した場合に、操作内容監視部１９から出力された説明開始タイミング情報を保存する。また、メモリ１４は、授業に用いられる複数種類の科目の教科書データを保存しても良い。
【００２８】
以下、ユーザ（教師）が授業中に教科書データのページ又はタイトル（章）をタッチ操作若しくは選択操作したときのタイマ１２の出力時刻を「説明開始タイミング」と記載し、この時刻情報を「説明開始タイミング情報」と記載する。
【００２９】
出力制御部１５は、教師端末１０に内蔵されるＣＰＵを用いて構成され、制御部１１からの出力指示（表示指示、音声出力指示）を基に、情報又はデータを出力部１６に出力（表示、音声出力）させる様に出力部１６を制御する。例えば、出力制御部１５は、授業中において教科書データＢＤを出力部１６の表示画面に出力（表示）する（図８（Ａ）参照）。
【００３０】
出力制御部１５は、図８（Ａ）に示す様に、出力部１６の表示画面において授業時間（例えば５０分間とし、以下同様とする）に対する現在時刻の相対的な位置を示すタイムシフトバーＴＢ及びマーカＭＫを出力（表示）する。
【００３１】
出力部１６は、教師端末１０に含まれる又は接続されているＬＣＤの表示素子若しくはスピーカ等の音声出力素子を用いて構成され、例えば教師端末１０の表示部として、出力制御部１５から出力された信号に応じて、情報若しくはデータを表示する。又は、出力部１６は、例えば教師端末１０の音声出力部として、出力制御部１５から出力された信号に応じて、情報若しくはデータの音声を出力する。
【００３２】
なお、以下の各実施形態においては、出力部１６の出力形態として、ＬＣＤ等の表示部に表示する様な構成として説明するが、スピーカ等の音声出力部に出力する様な構成として説明しても良いし、その両方の出力形態を適用しても良い。
【００３３】
記録制御部１７は、教師端末１０に内蔵されるＣＰＵを用いて構成され、授業の記録の開始操作、及び一時停止操作を含む停止操作を可能にビデオカメラ７０を制御する。なお、教師端末１０がビデオカメラ７０の機能を有する場合には、記録制御部１７は、ビデオカメラ７０の記録機能を含み、記録機能を用いて授業の記録の開始操作、及び一時停止操作を含む停止操作を制御する。
【００３４】
通信部１８は、ネットワークＮＷを介してビデオカメラ７０、生徒端末３０−１及び授業データ管理装置５０のうちいずれかと情報若しくはデータの送受信（通信）が可能な通信回路を用いて構成されている。通信部１８は、授業中に教師端末１０の出力部１６において出力（表示）されている教科書データの内容（教科書情報）として、例えば現在の授業で用いられている教科書データの内容は「日本史の１２．１章の明治維新」である旨を制御部１１から取得して授業データ管理装置５０に送信している。なお、通信部１８が教科書データの内容（教科書情報）を授業データ管理装置５０に送信するタイミングは、予め教師端末１０の制御部１１の動作において予め設定された所定の周期（例：３分に１回）であるとする。
【００３５】
操作内容監視部１９は、教師端末１０に内蔵されるＣＰＵを用いて構成され、出力部１６が表示部として機能している場合においてユーザ（教師）の出力部１６に対するタッチ操作及び選択操作を含む授業中における教師端末１０に対する操作を監視している。操作内容監視部１９は、授業中における教師端末１０に対する操作の操作データを、制御部１１を介して通信部１８に出力する。
【００３６】
操作データは、例えばユーザ（教師）が授業中に出力部１６に出力（表示）されている教科書データのタイトル（図８（Ａ）参照）をタッチ操作した場合に操作内容監視部１９に入力された説明開始タイミング情報を含む。説明開始タイミング情報を含む操作データは、通信部１８により授業データ管理装置５０に送信される。
【００３７】
ＲＡＭ２０は、制御部１１、タイマ１２、操作部１３、出力制御部１５、記録制御部１７及び操作内容監視部１９の各部の動作における各々のワークメモリとして動作する。なお、図２においては、制御部１１、タイマ１２、操作部１３、出力制御部１５、記録制御部１７及び操作内容監視部１９の各部とＲＡＭ２０との矢印の図示を省略している。
【００３８】
ＲＯＭ２１は、教師端末１０における制御部１１、タイマ１２、操作部１３、出力制御部１５、記録制御部１７及び操作内容監視部１９の各部の動作が予め規定された各プログラムを記憶している。なお、制御部１１、タイマ１２、操作部１３、出力制御部１５、記録制御部１７及び操作内容監視部１９の各部の動作は、ハードウェア又はソフトウェアで構成することが可能である。特に、これらの各部がソフトウェアにより構成される際には、教師端末１０に内蔵されているＣＰＵが当該各部の動作が予め規定されたプログラムをＲＯＭ２１から読み出すことにより、当該各部が動作可能となる。なお、図２においては、制御部１１、タイマ１２、操作部１３、出力制御部１５、記録制御部１７及び操作内容監視部１９の各部とＲＯＭ２１との矢印の図示を省略している。
【００３９】
（生徒端末）
図３は、第１の実施形態の生徒端末３０−１のハードウェア構成の一例を示すブロック図である。生徒端末３０−１は、図３に示す様に、制御部３１、タイマ３２、操作部３３、メモリ３４、出力制御部３５、出力部３６、カメラ部としてのカメラ３７、通信部３８、ＲＡＭ３９及びＲＯＭ４０を含む構成である。
【００４０】
制御部３１は、生徒端末３０−１に内蔵されるＣＰＵを用いて構成され、生徒端末３０−１の各部の動作を制御する。制御部３１の動作の詳細は、図７及び図９を参照して後述する。
【００４１】
タイマ３２は、生徒端末３０−１に内蔵されるクロック回路（不図示）を用いて構成され、同クロック回路から与えられるクロックを生徒端末３０−１のシステムクロックとしてカウントする。タイマ３２によりカウントされたクロック、即ち生徒端末３０−１のシステムクロック（時計情報）は、制御部３１に出力されている。なお、図３においては、タイマ３２と制御部３１とは、それぞれ別に構成されるものとして示したが、タイマ３２は制御部３１の中に含まれる様に構成されても良い。
【００４２】
操作部３３は、ユーザ（生徒）が生徒端末３０−１に対する操作を入力するためのユーザインタフェースであり、ユーザ（生徒）の操作内容に応じた操作信号を制御部３１に出力する。
【００４３】
操作部３３は、例えば生徒端末３０−１がノートＰＣ、タブレット端末、ＰＤＡ及び電子書籍端末のうちいずれかの電子機器である場合には、電子機器に内蔵されるキーボードにより構成可能である。操作部３３は、出力部３６がＬＣＤを用いて構成されている場合において出力部３６の上に配置され、ユーザ（生徒）の指又はスタイラスペン等による入力操作を受け付け可能なタッチパネルを用いて構成されても良い。また、図３において操作部３３は生徒端末３０−１に含まれる様に構成されているが、操作部３３が生徒端末１３０−１に含まれずに生徒端末３０−１に接続されて使用可能とされる場合には操作部３３は例えばマウス又は外付けキーボード等を用いて構成されても良い。
【００４４】
メモリ３４は、生徒端末３０−１に内蔵されるハードディスク又はフラッシュメモリを用いて構成され、例えばユーザ（生徒）が授業中に聞き漏らした又は理解できなかったために後で復習して確認したい事項（例：教科書データのタイトル等）をタッチ操作若しくは選択操作した場合に、当該操作の入力時刻（タイマ３２の出力）を保存する。また、メモリ３４は、授業に用いられる複数種類の科目の教科書データを保存しても良い。
【００４５】
以下、ユーザ（生徒）が授業中に聞き漏らした又は理解できなかったために後で復習して確認したい事項をタッチ操作若しくは選択操作して入力したときのタイマ３２の出力時刻を「確認タイミング」と記載し、この時刻情報を「確認タイミング情報」と記載する。
【００４６】
出力制御部３５は、生徒端末３０−１に内蔵されるＣＰＵを用いて構成され、制御部３１からの出力指示（表示指示、音声出力指示）を基に、情報又はデータを出力部３６に出力（表示、音声出力）させる様に出力部３６を制御する。例えば、出力制御部３５は、授業中において教科書データＢＤを出力部３６の表示画面に出力（表示）する（図８（Ｂ）参照）。
【００４７】
出力制御部３５は、図８（Ｂ）に示す様に、出力部３６の表示画面において授業時間に対する現在時刻の相対的な位置を示すタイムシフトバーＴＢ及びマーカＭＫを出力（表示）する。更に、出力制御部３５は、出力部３６の表示画面に所定形状（例：丸い形状又は四角の形状等）の確認ボタンＣＢを表示する。この確認ボタンＣＢが生徒の操作によってタッチ操作若しくは選択操作された場合には、生徒端末３０−１の制御部３１は、操作部３３からの操作信号を基に確認タイミング情報を生成する。生徒端末３０−１の通信部３８は、制御部３１により生成された確認タイミング情報を授業データ管理装置５０に送信する。
【００４８】
出力部３６は、生徒端末３０−１に含まれる又は接続されているＬＣＤの表示素子若しくはスピーカ等の音声出力素子を用いて構成され、例えば生徒端末３０−１の表示部として、出力制御部３５から出力された信号に応じて、情報若しくはデータを表示する。又は、出力部３６は、例えば生徒端末３０−１の音声出力部として、出力制御部３５から出力された信号に応じて、情報若しくはデータの音声を出力する。
【００４９】
なお、以下の各実施形態においては、出力部３６の出力形態として、ＬＣＤ等の表示部に表示する様な構成として説明するが、スピーカ等の音声出力部に出力する様な構成として説明しても良いし、その両方の出力形態を適用しても良い。
【００５０】
カメラ部としてのカメラ３７は、生徒端末３０−１に予め接続されたインカメラを用いて構成され、制御部３１の制御の下で、生徒が授業中に一定時間フレームアウト、即ち、カメラ３７の撮影範囲から離席しているかどうかを常に監視及び判定している。カメラ３７によって記録されたデータは、メモリ３４に保存されても良いし、授業の終了時に制御部３１によって削除されても良い。授業の終了時に削除された場合には、次の授業において制御部３１によって改めて記録されるとする。また、カメラ３７は、制御部３１の制御の下で動作することとして説明しているが、図２の教師端末１０と同様に、生徒端末３０−１に記録制御部が含まれる様に構成されている場合に、当該記録制御部を介して制御されても良い。
【００５１】
通信部３８は、ネットワークＮＷを介して教師端末１０及び授業データ管理装置５０のうちいずれかと情報若しくはデータの送受信（通信）が可能な通信回路を用いて構成されている。通信部３８は、授業中に生徒端末３０−１の出力部３６において出力（表示）されている教科書データの内容（教科書情報）として、例えば現在の授業で用いられている教科書データの内容は「日本史の１２．１章の明治維新」である旨を制御部３１から取得して授業データ管理装置５０に送信している。なお、通信部３８が教科書データの内容（教科書情報）を授業データ管理装置５０に送信するタイミングは、予め生徒端末３０−１の制御部３１の動作において予め設定された所定の周期（例：３分に１回）であるとする。
【００５２】
ＲＡＭ３９は、制御部３１、タイマ３２、操作部３３及び出力制御部３５の各部の動作における各々のワークメモリとして動作する。なお、図３においては、制御部３１、タイマ３２、操作部３３及び出力制御部３５の各部とＲＡＭ３９との矢印の図示を省略している。
【００５３】
ＲＯＭ４０は、生徒端末３０−１における制御部３１、タイマ３２、操作部３３及び出力制御部３５の各部の動作が予め規定された各プログラムを記憶している。なお、制御部３１、タイマ３２、操作部３３及び出力制御部３５の各部の動作は、ハードウェア又はソフトウェアで構成することが可能である。特に、これらの各部がソフトウェアにより構成される際には、生徒端末３０−１に内蔵されているＣＰＵが当該各部の動作が予め規定されたプログラムをＲＯＭ４０から読み出すことにより、当該各部が動作可能となる。なお、図３においては、制御部３１、タイマ３２、操作部３３及び出力制御部３５の各部とＲＯＭ４０との矢印の図示を省略している。
【００５４】
（授業データ管理装置）
図４は、第１の実施形態の授業データ管理装置５０のハードウェア構成の一例を示すブロック図である。授業データ管理装置５０は、図４に示す様に、制御部５１、タイマ５２、データベース６０及び通信部６５を含む構成である。更に、制御部５１は、ユーザ識別部５３、授業データ関連情報生成部５４、確認タイミング情報保存更新部５５、説明開始起点抽出部５６、授業データ生成部５７、授業データ取得部５８及び教科書内容比較部５９を含む構成である。更に、データベース６０は、記録データ管理ＤＢ６１、個人情報管理ＤＢ６２、授業情報管理ＤＢ６３及び教科書データ管理ＤＢ６４を含む構成である。
【００５５】
制御部５１は、授業データ管理装置５０に内蔵されるＣＰＵを用いて構成され、授業データ管理装置５０の各部の動作を制御する。制御部５１を構成する各部の動作を説明する。
【００５６】
ユーザ識別部５３は、授業データ管理システム１００にログインする又はログインしているユーザを、個人情報管理ＤＢ６２に保存されている個人情報に基づいて識別する。例えばユーザ（教師又は生徒）が授業データ管理システム１００にログインする場合には、後述する図９の表示画面Ｄ１に示す様に、ユーザ（教師又は生徒）のユーザＩＤ及びパスワードの入力が要求され、ユーザ（教師又は生徒）は予め付与された自己のユーザＩＤ及びパスワードを入力する。
【００５７】
教師端末１０から説明開始タイミング情報が送信される場合、及び生徒端末３０−１から確認タイミング情報が送信される場合には、各情報と共に各端末のユーザである教師又は生徒のユーザＩＤも含まれて送信される。ユーザ識別部５３は、送信されたユーザＩＤを基に、送信者であるユーザを教師及び生徒のうちいずれであるかを識別する。
【００５８】
授業データ関連情報生成部５４は、データベース６０に保存されている情報若しくはデータを基に、少なくとも担当教師、授業情報、説明開始タイミング情報及び授業データの各項目を含む授業データ関連情報を生成する。授業データ関連情報生成部５４は、教師端末１０から送信された授業開始指示（図７のステップＳ１３参照）を受信した後、教師端末１０から説明開始タイミング情報が送信される度に図６の授業データ関連情報を生成し、授業終了指示（図７のステップＳ２４参照）を受信した後においては既に生成された授業データ関連情報の内容を更新する。
【００５９】
ここで、授業データ関連情報について図６を参照して説明する。図６は、第１の実施形態における授業データ関連情報をテーブル形式で示した説明図である。授業データ関連情報は、図６に示す様に、担当教師、授業情報、説明開始タイミング情報及び授業データの各項目からなる。
【００６０】
担当教師は、授業を担当する教師を表し、ユーザＩＤを含む授業開始指示を基にユーザ識別部５３によって識別されたユーザＩＤに対応する教師を表す。図６の第１行目及び第２行目の各授業データ関連情報では、担当教師はいずれも「教師Ａ」である。
【００６１】
授業情報は、担当教師が行う授業の対象クラス（教室）、授業の日付及び授業のカリキュラムを表し、それぞれ授業情報管理ＤＢ６３に予め保存されている情報である。図６の第１行目及び第２行目の各授業データ関連情報の授業情報では、授業の対象クラスは「１年Ａ組」、授業の日付は「２０１１年６月１５日」及び授業のカリキュラムは「２限目」である。
【００６２】
説明開始タイミング情報は、担当教師が授業中に教科書データのページ又はタイトル（章）をタッチ操作（選択操作）したときのタイマ１２の出力時刻であって、教師端末１０において授業開始指示が入力されたときの時刻（タイマ１２の出力時刻）からの経過時間情報を示す。また、ビデオカメラ７０により記録された授業データが授業データ生成部５７によって説明開始タイミングを再生起点として再生可能に生成された場合には、授業データ関連情報の説明開始タイミング情報の項目は、当該生成された授業データのファイル名が書込まれる。
【００６３】
図６の第１行目の授業データ関連情報では、説明開始タイミング情報は「ファイルＡの開始から１０分２５秒」又は「ファイルＡ−１」である。「ファイルＡ−１」は、授業データ全体のファイル「ファイルＡ」の開始から１０分２５秒経過した時点から再生可能に生成されたファイルである。同図の第２行目の授業データ関連情報では、説明開始タイミング情報は「ファイルＡの開始から３０分１５秒」又は「ファイルＡ−２」である。「ファイルＡ−２」は、授業データ全体のファイル「ファイルＡ」の開始から３０分１５秒経過した時点から再生可能に生成されたファイルである。なお、ファイルＡは、授業データの全体の内容が記録されたデータであるとする。
【００６４】
授業データは、教師が授業中に教師端末１０に対して行った操作データと授業の内容とが共に記録されたデータのファイル名を表す。図６の第１行目の授業データ関連情報では、授業データは「ファイルＡ」又は「ファイルＡ−１」である。同図の第２行目の授業データ関連情報では、授業データは「ファイルＡ」又は「ファイルＡ−２」である。
【００６５】
確認タイミング情報保存更新部５５は、生徒端末３０−１から送信された確認タイミング情報を通信部６５から取得し、同確認タイミング情報と共に送信された生徒のユーザＩＤと同確認タイミング情報とを関連付けて記録データ管理ＤＢ６１に保存する。なお、確認タイミング情報保存更新部５５は、生徒端末３０−１以外の他の生徒端末から送信された確認タイミング情報と当該他の生徒端末のユーザ（生徒）のユーザＩＤとを関連付けて記録データ管理ＤＢ６１に保存する。
【００６６】
説明開始起点抽出部５６は、個人情報管理ＤＢ６２の教師及び生徒の各個人情報、授業情報管理ＤＢ６３の授業情報、並びに生徒端末３０−１から送信された授業データ取得要求（図９のステップＳ３８参照）を基に、生徒端末３０−１から送信された確認タイミング情報の受信時刻から最も近い以前に受信された説明開始タイミング情報を抽出する。但し、説明開始起点抽出部５６は、個人情報管理ＤＢ６２の教師及び生徒の各個人情報、授業情報管理ＤＢ６３の授業情報を基に、生徒端末３０−１から送信された確認タイミング情報の受信時刻から最も近い以前に受信された説明開始タイミング情報を抽出しても良い。即ち、説明開始起点抽出部５６は、授業データ管理装置５０が生徒端末３０−１から授業データ取得要求を受信しなくても、例えば授業終了指示を教師端末１０から受信した後に、生徒端末３０−１から送信された確認タイミング情報の受信時刻から最も近い以前に受信された説明開始タイミング情報を抽出しても良い。
【００６７】
ここで、授業データ関連情報生成部５４、確認タイミング情報保存更新部５５及び説明開始起点抽出部５６の動作を、図５を参照して説明する。図５（Ａ）は、教師端末１０における説明開始タイミングの入力時刻と生徒端末３０−１における確認タイミングの入力時刻とを示したタイムチャートである。同図（Ｂ）は、教師端末１０における説明開始タイミングの入力時刻と生徒端末３０−１における確認タイミングの入力時刻とをテーブル形式で示した説明図である。
【００６８】
図５（Ａ）において、授業開始時点は「９：５０」、即ち教師端末１０から送信された授業開始指示の受信時刻（タイマ５２の出力）は「９：５０」であるとする。授業開始時点から１０分２５秒経過した「１０：００：２５」において、教師の説明開始タイミング情報の入力操作によって教師端末１０から送信された説明開始タイミング１に対応する説明開始タイミング情報が授業データ管理装置５０において受信されたとする。この場合、授業データ関連情報生成部５４は、授業データ関連情報の説明開始タイミングの項目に、教師端末１０から送信された説明開始タイミング１に対応する説明開始タイミング情報の受信時刻を書き込み（図６参照）、この受信時刻と教師端末１０のユーザＩＤとを説明開始タイミング１に対応する説明開始タイミング情報として記録データ管理ＤＢ６１に保存する。
【００６９】
同様に、授業開始時点から３０分１５秒経過した「１０：２０：１５」において、教師の説明開始タイミング情報の入力操作によって教師端末１０から送信された説明開始タイミング２に対応する説明開始タイミング情報が授業データ管理装置５０において受信されたとする。この場合、授業データ関連情報生成部５４は、授業データ関連情報の説明開始タイミングの項目に、教師端末１０から送信された説明開始タイミング２に対応する説明開始タイミング情報の受信時刻を書き込み（図６参照）、この受信時刻と教師端末１０のユーザＩＤとを説明開始タイミング２に対応する説明開始タイミング情報として記録データ管理ＤＢ６１に保存する。
【００７０】
一方、授業開始時点から２５分１５秒経過した「１０：１５：１５」において、生徒の確認タイミング情報の入力操作によって生徒端末３０−１から送信された確認タイミング１に対応する確認タイミング情報が授業データ管理装置５０において受信されたとする。この場合、確認タイミング情報保存更新部５５は、生徒端末３０−１から送信された確認タイミング１に対応する確認タイミング情報と生徒端末３０−１のユーザＩＤとを関連付けて記録データ管理ＤＢ６１に保存する。
【００７１】
同様に、授業開始時点から２８分経過した「１０：１８：００」において、生徒の確認タイミング情報の入力操作によって生徒端末３０−１から送信された確認タイミング２に対応する確認タイミング情報が授業データ管理装置５０において受信されたとする。この場合、確認タイミング情報保存更新部５５は、生徒端末３０−１から送信された確認タイミング２に対応する確認タイミング情報と生徒端末３０−１のユーザＩＤとを関連付けて記録データ管理ＤＢ６１に保存する。
【００７２】
同様に、授業開始時点から４０分２５秒経過した「１０：３０：２５」において、生徒の確認タイミング情報の入力操作によって生徒端末３０−１から送信された確認タイミング３に対応する確認タイミング情報が授業データ管理装置５０において受信されたとする。この場合、確認タイミング情報保存更新部５５は、生徒端末３０−１から送信された確認タイミング３に対応する確認タイミング情報と生徒端末３０−１のユーザＩＤとを関連付けて記録データ管理ＤＢ６１に保存する。
【００７３】
説明開始起点抽出部５６は、図５（Ｂ）に示す様に、例えば生徒端末３０−１から送信された確認タイミング１に対応する授業の内容を取得するための授業データ取得要求を基に、確認タイミング１に対応する確認タイミング情報の受信時刻から最も近い以前に受信された説明開始タイミング情報を抽出する。即ち、説明開始起点抽出部５６は、確認タイミング１に対応する確認タイミング情報の受信時刻（１０：１５：１５）から最も近い以前に受信された説明開始タイミング１に対応する説明開始タイミング情報（１０：００：２５）を抽出する。
【００７４】
同様に、説明開始起点抽出部５６は、図５（Ｂ）に示す様に、例えば生徒端末３０−１から送信された確認タイミング２に対応する授業の内容を取得するための授業データ取得要求を基に、確認タイミング２に対応する確認タイミング情報の受信時刻から最も近い以前に受信された説明開始タイミング情報を抽出する。即ち、説明開始起点抽出部５６は、確認タイミング２に対応する確認タイミング情報の受信時刻（１０：１８：００）から最も近い以前に受信された説明開始タイミング１に対応する説明開始タイミング情報（１０：００：２５）を抽出する。
【００７５】
同様に、説明開始起点抽出部５６は、図５（Ｂ）に示す様に、例えば生徒端末３０−１から送信された確認タイミング３に対応する授業の内容を取得するための授業データ取得要求を基に、確認タイミング３に対応する確認タイミング情報の受信時刻から最も近い以前に受信された説明開始タイミング情報を抽出する。即ち、説明開始起点抽出部５６は、確認タイミング３に対応する確認タイミング情報の受信時刻（１０：３０：２５）から最も近い以前に受信された説明開始タイミング２に対応する説明開始タイミング情報（１０：２０：１５）を抽出する。
【００７６】
授業データ生成部５７は、教師端末１０から送信された授業開始指示及び授業終了指示の各受信時刻の間に教師端末１０から送信された授業データのファイルと、同各受信時刻の間（授業中）に教師端末１０から送信された操作データとを関連付けて記録データ管理ＤＢ６１に保存する。
【００７７】
授業データ生成部５７は、記録データ管理ＤＢ６１に保存された授業データ及び操作データを基に、教師端末１０から送信された授業開始指示の受信時刻を再生起点として再生可能な授業データのファイルを生成する。なお、授業データ生成部５７によって生成された授業データのファイルは、生徒端末３０−１において再生された場合に、授業の内容と教師が授業中に教師端末１０に対して行った操作データ（タッチ操作等の操作履歴）とが同時に再生されるとし、以下の各実施形態においても同様とする。
【００７８】
また、授業データ生成部５７は、記録データ管理ＤＢ６１に保存された授業データのファイルを、説明開始起点抽出部５６により抽出された説明開始タイミング情報を再生起点として再生可能な複数の授業データのファイルに分割し、分割された各授業データのファイルを記録データ管理ＤＢ６１に保存しても良い。
【００７９】
例えば、授業データ生成部５７は、図５（Ｂ）の授業開始指示の受信時刻（９：５０：００）から開始される５０分間の授業の授業データ（ファイルＡ）を、説明開始タイミング１に対応する説明開始タイミング情報の受信時刻（１０：００：２５）を再生起点として再生可能な授業データ（ファイルＡ−１）と、説明開始タイミング２に対応する説明開始タイミング情報の受信時刻（１０：２０：１５）を再生起点として再生可能な授業データ（ファイルＡ−２）とに分割する。
【００８０】
授業データ取得部５８は、授業データ生成部５７により生成された授業データのファイル、即ち、説明開始起点抽出部５６により抽出された説明開始タイミング情報を再生起点として再生可能に生成された授業データのファイルを取得する。
【００８１】
教科書内容比較部５９は、タイマ５２からの出力を基に、教師端末１０及び生徒端末３０−１の各出力部（１６，３６）における表示画面に出力（表示）されている各教科書データの内容を常に又は所定のタイミングで比較する。教科書内容比較部５９は、各々の表示画面に出力（表示）されている各教科書データの内容が所定時間以上異なる場合に、所定時間の終了時刻を入力時点とした確認タイミング情報を記録データ管理ＤＢ６１に保存する。教科書内容比較部５９の動作の詳細は、図１６を参照して後述する。
【００８２】
タイマ５２は、授業データ管理装置５０に内蔵されるクロック回路（不図示）を用いて構成され、同クロック回路から与えられるクロックを授業データ管理装置５０のシステムクロックとしてカウントする。タイマ５２によりカウントされたクロック、即ち授業データ管理装置５０のシステムクロック（時計情報）は、制御部５１に出力されている。なお、図４においては、タイマ５２と制御部５１とは、それぞれ別に構成されるものとして示したが、タイマ５２は制御部５１の中に含まれる様に構成されても良い。
【００８３】
データベース６０の各部は、授業データ管理装置５０に内蔵されるハードディスク又はフラッシュメモリを用いて構成され、教師端末１０又は生徒端末３０−１から送信された情報若しくはデータを保存する。また、データベース６０は、授業データ管理システム１００において利用可能なメニュー（機能）のプログラム（不図示）を保存している。
【００８４】
記録データ管理ＤＢ６１は、教師端末１０から送信された授業データと操作データと授業開始指示に含まれる授業情報とが関連付けられたデータ、ユーザ（教師）のユーザＩＤと説明開始タイミング情報と授業情報とが関連付けられた情報、並びに、ユーザ（生徒）のユーザＩＤと確認タイミング情報と授業情報とが関連付けられた情報を保存している。
【００８５】
個人情報管理ＤＢ６２は、授業データ管理システム１００のユーザとなる各教師及び各生徒の個人情報（プロファイル情報）、並びに授業データ管理システム１００のログインに必要な各教師及び各生徒のユーザＩＤ及びパスワードを保存している。教師の個人情報は、例えば教師の氏名、年齢、住所、担当科目、担当クラス等を含む情報である。生徒の個人情報は、例えば生徒の氏名、年齢、住所、所属クラス（教室）等を含む情報である。
【００８６】
授業情報管理ＤＢ６３は、授業データ管理システム１００において行われる授業に関する情報を保存している。この情報は、例えばクラス（教室）毎に曜日単位で組み込まれている授業のカリキュラムを含む情報である。また、授業情報管理ＤＢ６３は、全てのユーザＩＤ（生徒ＩＤ）に応じた授業データ管理システム１００において利用可能な同一のメニューリスト、又は、各ユーザＩＤ（生徒ＩＤ）に応じて用意された個別のメニューリストを保存している。
【００８７】
教科書データ管理ＤＢ６４は、授業データ管理システム１００において行われる授業で用いられる教科書データを、科目ごとに関連付けして保存している。
【００８８】
通信部６５は、ネットワークＮＷを介して教師端末１０及び生徒端末３０−１のうちいずれかと情報若しくはデータの送受信（通信）が可能な通信回路を用いて構成されている。通信部６５は、授業中に教師端末１０及び生徒端末３０−１の各出力部（１６，３６）において出力（表示）されている各教科書データの内容（教科書情報）として、例えば現在の授業で用いられている教科書データの内容は「日本史の１２．１章の明治維新」である旨を受信している。
【００８９】
ＲＡＭ６６は、制御部５１及びタイマ５２の各部の動作における各々のワークメモリとして動作する。なお、図４においては、制御部５１及びタイマ５２の各部とＲＡＭ６６との矢印の図示を省略している。
【００９０】
ＲＯＭ６７は、授業データ管理装置５０における制御部５１及びタイマ５２の各部の動作が予め規定された各プログラムを記憶している。なお、制御部５１及びタイマ５２の各部の動作は、ハードウェア又はソフトウェアで構成することが可能である。特に、これらの各部がソフトウェアにより構成される際には、授業データ管理装置５０に内蔵されているＣＰＵが当該各部の動作が予め規定されたプログラムをＲＯＭ６７から読み出すことにより、当該各部が動作可能となる。なお、図４においては、制御部５１及びタイマ５２の各部とＲＯＭ６７との矢印の図示を省略している。
【００９１】
（授業開始時点から授業終了時点における授業データ管理システムの動作）
次に、授業開始時点から授業終了時点における授業データ管理システム１００の動作を、図７及び図８を参照して説明する。図７は、第１の実施形態の教師端末１０、生徒端末３０−１、ビデオカメラ７０及び授業データ管理装置５０における授業開始時点から授業終了時点までの各動作を説明するシーケンス図である。図８（Ａ）は、教師端末１０の表示画面の例示図である。同図（Ｂ）は、生徒端末３０−１の表示画面の例示図である。
【００９２】
図７において、教師端末１０の通信部１８は、ユーザ（教師）からの授業の記録開始指示操作及び授業開始指示操作によって制御部１１から出力された授業の記録開始指示及び授業開始指示を取得し、ビデオカメラ７０に授業の記録開始指示を送信し（Ｓ１１−１）、授業データ管理装置５０に授業開始指示を送信する（Ｓ１１−２）。授業データ管理装置５０は、授業開始指示の受信時刻（タイマ５２の出力）を授業開始時刻であると認識する。図７に図示していないが、授業データ管理装置５０は、ステップＳ１１−２において送信された授業開始指示を受信した旨を教師端末１０に応答する。
【００９３】
ビデオカメラ７０は、ステップＳ１１−１において送信された記録開始指示を受信し、ビデオカメラ７０において予め設定された記録対象範囲の映像及び音声の各データの記録を開始する（Ｓ１２）。ビデオカメラ７０は、記録を開始した旨の記録開始通知及び記録された授業データを、教師端末１０にリアルタイムに送信する（Ｓ１３）。なお、ビデオカメラ７０は、記録された授業データをリアルタイムに教師端末１０に送信しても良いし、教師端末１０から授業開始指示を受信したときから授業終了指示を受信したときまでに記録された授業データ全体を教師端末１０に送信しても良い。
【００９４】
教師端末１０の操作内容監視部１９は、教師が授業中に教師端末１０に対して行った操作の操作データの記録を開始し（Ｓ１４）、記録された授業データと操作データとを関連付けて授業データ管理装置５０に送信する（Ｓ１５）。
【００９５】
教師が授業中に教師端末１０の出力部１６の表示画面に出力（表示）されている教科書データＢＤ（図８（Ａ）参照）のタイトル番号ＴＮである「１２．１」、タイトルＴＬである「明治維新」又は不図示の教科書データのページ（番号）をタッチ操作又は選択操作したとする。この場合、教師端末１０の制御部１１は、ユーザ（教師）操作の入力を受け付けたときの入力時刻（タイマ１２の出力）を、説明開始タイミング情報として通信部１８に出力する。通信部１８は、制御部１１から出力された説明開始タイミング情報とユーザＩＤとを授業データ管理装置５０に送信する（Ｓ１６）。
【００９６】
授業データ管理装置５０の通信部６５は、ステップＳ１６において送信された説明開始タイミング情報とユーザＩＤとを受信して制御部５１に出力する。制御部５１の授業データ関連情報生成部５４は、受信された説明開始タイミング情報を含む授業データ関連情報の生成を開始する（Ｓ１７）。なお、ユーザ識別部５３は、ユーザＩＤを基に、説明開始タイミング情報の送信者である担当教師を識別し、この担当教師を授業データ関連情報の担当教師の項目に書き込む。
【００９７】
生徒が授業中に生徒端末３０−１の出力部３６の表示画面に出力（表示）されている教科書データＢＤ（図８（Ｂ）参照）の確認ボタンＣＢ、タイトル番号ＴＬである「１２．１」若しくはタイトルＴＬである「明治維新」、又は不図示の教科書データのページ（番号）をタッチ操作又は選択操作したとする。この場合、生徒端末３０−１の制御部３１は、ユーザ（生徒）操作の入力を受け付けたときの入力時刻（タイマ３２の出力）を、確認タイミング情報として通信部３８に出力する。通信部３８は、制御部３１から出力された確認タイミング情報とユーザＩＤとを授業データ管理装置５０に送信する（Ｓ１８）。
【００９８】
授業データ管理装置５０の通信部６５は、ステップＳ１８において送信された確認タイミング情報とユーザＩＤとを受信して制御部５１に出力する。制御部５１の確認タイミング情報保存更新部５５は、受信された確認タイミング情報と生徒端末３０−１のユーザＩＤとを関連付けて記録データ管理ＤＢ６１に保存する（Ｓ１９）。なお、ユーザ識別部５３は、ユーザＩＤを基に、確認タイミング情報の送信者である生徒を識別する。
【００９９】
ステップＳ１９の後、教師が授業中に教師端末１０の出力部１６の表示画面に出力（表示）されている教科書データＢＤ（図１４（Ｂ）参照）のタイトル番号ＴＮである「１２．２」、タイトルＴＬである「西南戦争」又は不図示の教科書データのページ（番号）をタッチ操作又は選択操作したとする。この場合、教師端末１０の制御部１１は、ユーザ（教師）操作の入力を受け付けたときの入力時刻（タイマ１２の出力）を、説明開始タイミング情報として通信部１８に出力する。通信部１８は、制御部１１から出力された説明開始タイミング情報とユーザＩＤとを授業データ管理装置５０に送信する（Ｓ２０）。
【０１００】
授業データ管理装置５０の通信部６５は、ステップＳ２０において送信された説明開始タイミング情報とユーザＩＤとを受信して制御部５１に出力する。制御部５１の授業データ関連情報生成部５４は、受信された説明開始タイミング情報を含む授業データ関連情報を更新する（Ｓ２１）。なお、ユーザ識別部５３は、ユーザＩＤを基に、説明開始タイミング情報の送信者である担当教師を識別し、この担当教師を授業データ関連情報の担当教師の項目に書き込む。
【０１０１】
生徒が授業中に生徒端末３０−１の出力部３６の表示画面に出力（表示）されている教科書データの確認ボタン、タイトル番号若しくはタイトル、又は不図示の教科書データのページ（番号）をタッチ操作又は選択操作したとする。この場合、生徒端末３０−１の制御部３１は、ユーザ（生徒）操作の入力を受け付けたときの入力時刻（タイマ３２の出力）を、確認タイミング情報として通信部３８に出力する。通信部３８は、制御部３１から出力された確認タイミング情報とユーザＩＤとを授業データ管理装置５０に送信する（Ｓ２２）。
【０１０２】
授業データ管理装置５０の通信部６５は、ステップＳ２２において送信された確認タイミング情報を受信して制御部５１に出力する。制御部５１の確認タイミング情報保存更新部５５は、受信された確認タイミング情報と生徒端末３０−１のユーザＩＤとを関連付けて記録データ管理ＤＢ６１に保存する（Ｓ２３）。
【０１０３】
ステップＳ２３の後、授業時間の終了時には、教師端末１０の通信部１８は、ユーザ（教師）からの授業の記録終了指示操作及び授業終了指示操作によって制御部１１から出力された授業の記録終了指示及び授業終了指示を取得し、ビデオカメラ７０に授業の記録終了指示を送信し（Ｓ２４−１）、授業データ管理装置５０に授業終了指示を送信する（Ｓ２４−２）。授業データ管理装置５０は、授業終了指示の受信時刻（タイマ５２の出力）を授業終了時刻であると認識する。図７に図示していないが、授業データ管理装置５０は、ステップＳ２４−２において送信された授業終了指示を受信した旨を教師端末１０に応答する。
【０１０４】
ステップＳ２４−２の後、授業データ管理装置５０の制御部５１は、授業時間の間に記録された授業データ全体と授業情報と同授業時間の間に教師端末１０から送信された操作データとを関連付けた記録データを記録データ管理ＤＢ６１に保存する（Ｓ２５）。
【０１０５】
説明開始起点抽出部５６は、個人情報管理ＤＢ６２の教師及び生徒の各個人情報並びに授業情報管理ＤＢ６３の授業情報を基に、ステップＳ１８及びＳ２２において生徒端末３０−１から送信された各確認タイミング情報の受信時刻から最も近い以前に受信された各説明開始タイミング情報を抽出する（Ｓ２６、図５（Ａ）及び同図（Ｂ）参照）。
【０１０６】
授業データ生成部５７は、記録データ管理ＤＢ６１に保存された記録データと説明開始起点抽出部５６により抽出された説明開始タイミング情報とを基に、抽出された説明開始タイミング情報の時刻を再生起点として再生可能な授業データのファイルを生成する（Ｓ２７）。授業データ生成部５７は、ステップＳ２７において生成された授業データのファイルを記録データ管理ＤＢ６１に保存する。
【０１０７】
ステップＳ２７の後、授業データ関連情報生成部５４は、ステップＳ２７において生成された授業データの項目を含む授業データ関連情報を更新する（Ｓ２８）。この授業データの項目には、ステップＳ２７において生成された授業データのファイルのファイル名が書き込まれる。
【０１０８】
授業データ取得部５８は、ステップＳ２７において生成された各説明開始タイミング情報を再生起点として再生可能な授業データの各ファイルを記録データＤＢ６１から取得し、当該授業データの各ファイルからなる確認リスト（図９の表示画面Ｄ３）を生成する（Ｓ２９）。授業データ取得部５８は、ステップＳ２９において生成された確認リストとユーザＩＤとを関連付けて記録データ管理ＤＢ６１に保存する。
【０１０９】
ステップＳ２６〜Ｓ２９の各処理は、授業データ管理装置５０が生徒端末３０−１から送信された授業データ取得要求（図９のステップＳ３８参照）を取得した場合に限って行われても良い。
【０１１０】
（授業後における生徒端末及び授業データ管理装置の動作）
次に、授業後における生徒端末３０−１及び授業データ管理装置５０の動作を、図９を参照して説明する。図９は、第１の実施形態の生徒端末３０−１及び授業データ管理装置５０における授業後の各動作を説明するシーケンス図である。なお、図９は、生徒（Ｘｘ  Ｙｙさん）が復習のために、２０１１年６月１５日に行われた授業の授業データを取得する場合のシーケンス図とする。
【０１１１】
図９において、生徒端末３０−１の通信部３８は、表示画面Ｄ１においてユーザ（生徒Ｘｘ  Ｙｙさん）の授業データ管理システム１００のログイン操作によって入力されたユーザＩＤ及びパスワードを授業データ管理装置５０に送信する（Ｓ３１）。
【０１１２】
授業データ管理装置５０のユーザ識別部５３は、ステップＳ３１において送信されたユーザＩＤ及びパスワードと、個人情報管理ＤＢ６２に予め保存されているユーザＩＤ及びパスワードとを比較する。ユーザ識別部５３は、同一のユーザＩＤ及びパスワードが個人情報管理ＤＢ６２に保存されている場合に、生徒端末３０−１の授業データ管理システム１００へのログインを許可する。図９には図示していないが、授業データ管理装置５０は、授業データ管理システム１００のログインが成功した旨を生徒端末３０−１に応答する。
【０１１３】
授業データ管理装置５０の授業データ取得部５８は、ステップＳ３１において送信されたユーザＩＤ（生徒ＩＤ）に応じたメニューリストを授業情報管理ＤＢ６３から取得する（Ｓ３２）。授業データ管理装置５０の通信部６５は、ステップＳ３２において取得されたメニューリストを生徒端末３０−１に送信する（Ｓ３３）。
【０１１４】
生徒端末３０−１は、ステップＳ３３において送信されたメニューリストを出力部３６の表示画面に表示する（表示画面Ｄ２参照）。生徒（Ｘｘ  Ｙｙさん）が自分のメニューリストからメニュー「確認リストを表示する」をタッチ操作又は選択操作した場合、生徒端末３０−１は、生徒（Ｘｘ  Ｙｙさん）の操作によって制御部３１から出力された確認リスト取得要求を授業データ管理装置５０に送信する（Ｓ３４）。
【０１１５】
授業データ管理装置５０の授業データ取得部５８は、ステップＳ３４において送信されたユーザＩＤ（生徒ＩＤ）に応じた確認リストを記録データ管理ＤＢ６１から取得する（Ｓ３５）。授業データ管理装置５０の通信部６５は、ステップＳ３５において取得された確認リストを生徒端末３０−１に送信する（Ｓ３６）。
【０１１６】
生徒端末３０−１は、ステップＳ３６において送信された確認リストを出力部３６の表示画面に表示する（表示画面Ｄ３参照）。生徒（Ｘｘ  Ｙｙさん）が自分の２０１１年６月１５日における確認リストから例えば確認リストのうち授業データ「２限目の確認タイミング１」をタッチ操作又は選択操作したとする（Ｓ３７）。生徒端末３０−１は、生徒（Ｘｘ  Ｙｙさん）の操作によって制御部３１から出力された授業データ取得要求を授業データ管理装置５０に送信する（Ｓ３８）。
【０１１７】
授業データ管理装置５０の授業データ取得部５８は、ステップＳ３８において送信された授業データ取得要求を基に、授業データ「２限目の確認タイミング１」に対応する授業データのファイルを記録データ管理ＤＢ６１から取得する（Ｓ３９）。ステップＳ３９において取得された授業データのファイルは、２０１１年６月１５日に行われた２限目の授業の確認タイミング１の受信時刻から最も近い以前に受信された説明タイミング情報の受信時刻を再生起点として再生可能に生成された授業データのファイルである。授業データ管理装置５０の通信部６５は、ステップＳ３９において取得された授業データのファイルを生徒端末３０−１に送信する（Ｓ４０）。
【０１１８】
生徒端末３０−１の制御部３１は、出力制御部３５に、ステップＳ４０において送信された授業データのファイルを実行させ、授業データの内容を出力部３６に再生させる（Ｓ４１、表示画面Ｄ４参照）。
【０１１９】
以上により、第１の実施形態の授業データ管理装置５０によれば、電子教科書（教科書データ）を用いた授業の授業データに対して、教師から入力された授業内容の説明開始時点及び各生徒から入力された授業内容の再視聴の入力時点を効率的に管理し、各生徒の所望の授業データを簡易に配信することができる。
【０１２０】
これにより、授業データ管理システム１００を利用可能な生徒は、授業の内容のうち理解できなかった又は聞き漏らした事項を、自分が理解できなくなった又は聞き漏らした時点よりも前であって、当該事項の説明を教師が開始したタイミングから視聴（再生）することができ、効率的な復習を行える。
【０１２１】
（第２の実施形態）
第２の実施形態では、生徒（第１の実施形態と同様にＸｘ  Ｙｙさんとする）が自分の担任である教師Ａの授業の内容を再生して復習したが理解できなかった場合に、他のクラス（教室）の担任である例えば教師Ｂの同一科目の授業の内容を再生して復習可能とする。
【０１２２】
第２の実施形態の授業データ管理システムの構成は図１の授業データ管理システム１００の構成と同様であるため、説明を省略する。同様に、第２の実施形態の教師端末、生徒端末及び授業データ管理装置の構成は図２〜図４の各教師端末１０、生徒端末３０−１及び授業データ管理装置５０の構成と同様であるため、説明を省略する。また、第２の実施形態の授業データ管理システムの各部について第１の実施形態の授業データ管理システム１００と同様に動作するものについては同様の符号を付して説明する。以下、第２の実施形態においては、第１の実施形態と異なる内容について説明する。
【０１２３】
図１０は、第２の実施形態における授業データ関連情報をテーブル形式で示した説明図である。第２の実施形態における授業データ関連情報は、第１の実施形態における授業データ関連情報に、キーワードの項目を更に含む。即ち、第２の実施形態における授業データ関連情報は、図１０に示す様に、担当教師、授業情報、説明開始タイミング情報、キーワード及び授業データの各項目を含む。
【０１２４】
キーワードは、担当教師が行う授業の科目及び当該科目における授業の具体的な説明内容を表し、説明内容の具体的なタイトル又は当該タイトルを識別する記号を表す。図１０の第１行目の授業データ関連情報では、キーワードは「日本史  １２．１章  明治維新」又は「日本史  １２．１章  明治維新」を識別する記号「０１０−０１２−００１」である。同図の第２行目の授業データ関連情報では、キーワードは「日本史  １２．２章  西南戦争」又は「日本史  １２．２章  西南戦争」を識別する記号「０１０−０１２−００２」である。同図の第３行目の授業データ関連情報では、キーワードは「日本史  １２．１章  明治維新」又は「日本史  １２．１章  明治維新」を識別する記号「０１０−０１２−００１」である。同図の第４行目の授業データ関連情報では、キーワードは「生物  ２．１章  ミトコンドリア」又は「生物  ２．１章  ミトコンドリア」を識別する記号「０５０−００２−００１」である。図１０の授業データ関連情報は、第１の実施形態と同様に、授業データ管理装置５０の授業データ関連情報生成部５４により生成される。
【０１２５】
第２の実施形態では、授業データ管理装置５０の説明開始起点抽出部５６は、第１の実施形態の説明開始起点抽出部５６の動作に加え、授業データ管理装置５０が授業終了指示を受信した後において、図１０の授業データ関連情報を基に、授業の科目と同一のキーワードを有する他の教師の授業データ関連情報における説明開始タイミング情報を抽出する。図１０の授業データ関連情報においては、第１行目及び第３行目の授業データ関連情報は共に同一のキーワードを有する。
【０１２６】
即ち、説明開始起点抽出部５６は、授業データ管理装置５０が授業終了指示を受信した後において、第１行目の授業データ関連情報のキーワード「日本史  １２．１章  明治維新」（若しくはキーワード「０１０−０１２−００１」）と同一のキーワードを有する第３行目の授業データ関連情報を特定する。更に、説明開始起点抽出部５６は、特定された第３行目の授業データ関連情報の説明開始タイミング情報を抽出する。説明開始起点抽出部５６により抽出された説明開始タイミング情報は、ファイルＸの開始から５分０２秒である。
【０１２７】
（授業終了後における生徒端末及び授業データ管理装置の動作）
次に、授業終了後における生徒端末３０−１及び授業データ管理装置５０の動作を、図１１を参照して説明する。図１１は、第２の実施形態の生徒端末３０−１及び授業データ管理装置５０において生徒が授業終了時に復習する場合の各動作を説明するシーケンス図である。図１１の説明において、生徒（Ｘｘ  Ｙｙさん）の所属するクラスは１年Ａ組とする。
【０１２８】
図１１は、図９のシーケンス図に従って生徒（Ｘｘ  Ｙｙさん）が図１０の第１行目の授業データ関連情報の授業データを説明開始タイミングから再生して復習したが、教師Ａの説明では理解できなかったために、教師Ａ以外の他の教師が行った同一科目の授業データを取得する場合のシーケンス図である。図１１のシーケンス図は図９のステップＳ４１以降の処理となるが、図１１のステップＳ５１の前に、生徒端末３０−１の出力部３６には、生徒（Ｘｘ  Ｙｙさん）の確認リストとして、図１１の表示画面Ｄ５が出力（表示）されているとする。
【０１２９】
図１１において、生徒（Ｘｘ  Ｙｙさん）が、生徒端末３０−１の出力部３６に表示画面Ｄ５が出力（表示）されている場合において、表示画面Ｄ５の２０１１年６月１５日における確認リストから「他の教師の授業」をタッチ操作又は選択操作したとする。生徒端末３０−１は、生徒（Ｘｘ  Ｙｙさん）の操作に応じて制御部３１から出力された同一科目における他の教師の授業データ取得要求を授業データ管理装置５０に送信する（Ｓ５１）。なお、ステップＳ５１において送信された同一科目における他の教師の授業データ取得要求は、キーワード「日本史  １２．１章  明治維新」又は「０１０−０１２−００１」が含まれているとする。
【０１３０】
また、第１の実施形態と同様に、授業データ管理装置５０は、生徒端末３０−１からの授業データ取得要求が送信されなくても、授業終了指示を教師端末１０から受信した後で生徒端末毎に確認リストを生成し、更に同一科目における他の教師の授業データのファイルを含む確認リストを生成しても良い。
【０１３１】
説明開始起点抽出部５６は、個人情報管理ＤＢ６２の教師及び生徒の各個人情報、記録データ管理ＤＢ６１の授業データ関連情報並びに授業情報管理ＤＢ６３の授業情報を参照し（Ｓ５２，Ｓ５３）、ステップＳ５１において送信された同一科目における他の教師の授業データ取得要求に対する授業データ関連情報を特定する。
【０１３２】
具体的には、説明開始起点抽出部５６は、ステップＳ５１において送信された同一科目における他の教師の授業データ取得要求に含まれているキーワードと同一のキーワードを有する授業データ関連情報を特定する。図１０の授業データ関連情報を用いて具体的に説明すると、説明開始起点抽出部５６は、第１行目の授業データ関連情報と同一のキーワードを有する第３行目の授業データ関連情報を特定する。
【０１３３】
授業データ取得部５７は、特定された授業データ関連情報を基に、ステップＳ５１において送信された同一科目における他の教師の授業データ取得要求に対する授業データのファイルを記録データ管理ＤＢ６１から取得する（Ｓ５４）。授業データ取得部２９は、ステップＳ５４において取得された授業データの各ファイルからなる授業データリストを生成する（Ｓ５５）。授業データ管理装置５０の通信部６５は、ステップＳ５５において生成された授業データリストを生徒端末３０−１に送信する（Ｓ５６）。
【０１３４】
生徒端末３０−１は、ステップＳ５６において送信された授業データリストを出力部３６の表示画面に表示する。生徒（Ｘｘ  Ｙｙさん）が自分の２０１１年６月１５日における授業データリストからいずれかの授業データをタッチ操作又は選択操作したとする（Ｓ５７）。生徒端末３０−１は、生徒（Ｘｘ  Ｙｙさん）の操作に応じて制御部３１から出力された授業データ取得要求を授業データ管理装置５０に送信する（Ｓ５８）。
【０１３５】
授業データ管理装置５０の授業データ取得部５８は、ステップＳ５８において送信された授業データ取得要求に対する授業データのファイルを記録データ管理ＤＢ６１から取得する（Ｓ５９）。ステップＳ５９において取得された授業データのファイルは、図１０の第３行目の授業データ関連情報に対応し、２０１１年６月１０日に行われた担当教師Ｂによる３限目の授業の授業データのファイルＸの開始から５分０２秒経過した時点を再生起点として再生可能に生成された授業データのファイルである。授業データ管理装置５０の通信部６５は、ステップＳ５９において取得された授業データのファイルを生徒端末３０−１に送信する（Ｓ６０）。
【０１３６】
生徒端末３０−１の制御部３１は、出力制御部３５に、ステップＳ６０において送信された授業データのファイルを実行させ、授業データの内容を出力部３６に再生させる（Ｓ６１）。
【０１３７】
以上により、第２の実施形態の授業データ管理装置５０によれば、第１の実施形態の授業データ管理装置５０の効果に加え、生徒が自分の担任である教師Ａの授業で理解できなかった事項がある場合に他のクラスの担任であって同一科目の授業を受け持った他の教師Ｂの授業データを効率的に取得し、復習に役立てることができる。
【０１３８】
第２の実施形態と同様に、以下の各実施形態においても、第１の実施形態と同様に動作する授業データ管理システム１００の各部の符号は同様とする。
【０１３９】
（その他の実施形態１）
図１２は、授業データ全体のうち生徒端末３０−１からの確認タイミング情報の入力がなかったデータ区間の授業データの削除を説明するタイムチャートである。
【０１４０】
授業データ管理装置５０の授業データ生成部５７は、記録データ管理ＤＢ６１に保存されている確認タイミング情報、ユーザＩＤ、授業データ全体のファイル、及び授業情報管理ＤＢ６３に保存されている授業情報を読み出す。授業データ生成部５７は、授業データ全体のうち、当該授業データ全体の授業情報に対応する確認タイミング情報の入力がないデータ区間の有無を判定する。授業データ生成部５７は、授業データ全体のうち、当該授業データ全体の授業情報に対応する確認タイミング情報の入力がないデータ区間があると判定した場合に、当該データ区間に相当する授業データを削除する。
【０１４１】
図１２の例では、授業データ全体のうち１２．２章の説明内容のデータ区間においてどの生徒端末からも確認タイミング情報の入力がないとする。授業データ生成部５７は、確認タイミング情報の入力がないと判定されたデータ区間の授業データ（１２．２章の説明内容の授業データ）を削除する。どの生徒端末からも確認タイミング情報の入力がない授業データは各生徒が当該授業データの内容を理解したことになり、復習のために用いられる機会が少ないことになる。これにより、授業データ管理装置５０は、データベース６０に用いられる授業データの容量を低減することができる。
【０１４２】
（その他の実施形態２）
図１３は、無音無操作期間の授業データの削除を説明するタイムチャートである。授業データ管理装置５０の授業データ生成部５７は、記録データ管理ＤＢ６１に保存されている授業データ全体のファイルと操作データとを定期的に読み出し、授業データ全体のデータ区間において無音及び無操作の区間の有無を判定する。ここで、無音とは授業データの音声データの音量レベルが例えば予め設定された所定の閾値よりも小さい場合とし、無操作とは授業データに関連付けられている操作データがないことを表す。
【０１４３】
授業データ生成部５７は、授業データ全体のデータ区間において無音及び無操作のデータ区間があると判定した場合には、当該データ区間に相当する授業データを削除する。図１３の例では、１２．２章の説明が終了した後、所定時間の間に理解度テストの時間がとられている。この理解度テストの時間は、上述した無音及び無操作のデータ区間に対応する。また、図１３においては、理解度テスト時間の後に、教師から１２．３章の内容が授業終了時まで説明され、この１２．３章の説明内容に対し生徒Ｂから確認タイミングの入力がなされている。
【０１４４】
確認タイミング保存更新部５５は、授業データ生成部５７の無音及び無操作区間のデータの削除に応じて、図１３の第１段の記録データの元ファイルの１２．３章の説明時に入力された確認タイミング情報を、削除されたデータ区間に応じた時間分修正して更新する。即ち、図１３の第２段の記録データの編集後ファイルに示す様に、１２．３章の説明時に生徒Ｂから入力された確認タイミング情報は、同図第１段の記録データの元ファイルにおいて生徒Ｂから入力された確認タイミング情報と時間的に異なり、無音及び無操作のデータ区間に応じた時間分だけ前倒して修正される。これにより、授業データ管理装置５０は、無音及び無操作のデータ区間は生徒の復習に用いられる機会が少ないために削除されることによってデータベース６０に用いられる授業データの容量を低減でき、更に無音及び無操作のデータ区間の後に入力された確認タイミング情報も効率的に修正することができる。
【０１４５】
（その他の実施形態３）
図１４は、教師端末１０においてタイトル（章）又はページの切替時に説明開始タイミングを送信する動作を説明する説明図である。図１５は、教師端末１０におけるタイトル（章）又はページの切替に応じて説明開始タイミング情報を送信する動作を説明するフローチャートである。本実施形態では、教師端末１０から説明開始タイミング情報を授業データ管理装置５０に送信する場合に、教師の主体的な説明開始タイミング情報の入力操作を低減可能とする。
【０１４６】
図１４の矢印の左側における出力部１６の表示画面において教師がタイトル番号ＴＮ、タイトルＴＬ、又は不図示の教科書データＢＤのページ（番号）を次のタイトル番号ＴＮ、タイトルＴＬ、又は不図示の教科書データＢＤのページ（番号）に切り替えたとする。この切り替え時に、教師端末１０は、教師から説明開始タイミング情報が入力されたとして、次のタイトル番号ＴＮ、タイトルＴＬ、又は不図示の教科書データＢＤのページ（番号）に対応する説明開始タイミング情報を授業データ管理装置５０に送信する。
【０１４７】
具体的には、図１５において、教師が出力部１６の表示画面においてタイトルＴＬ（明治維新）をタッチ操作し、図１４の矢印の右側における出力部１６の表示画面に示す様に、次のタイトルＴＬ（西南戦争）に切り替えたとする（Ｓ７１、ＹＥＳ）。教師端末１０は、次のタイトルＴＬ（西南戦争）に切り替えられた時に、次のタイトルＴＬ（西南戦争）における説明開始タイミング情報を授業データ管理装置５０に送信する（Ｓ７２）。
【０１４８】
上述した各実施形態では、タイトル番号ＴＮ、タイトルＴＬ又は不図示の教科書データＢＤのページ（番号）が切り替えられた時には、教師端末１０は次のタイトル番号ＴＮ、タイトルＴＬ又は不図示の教科書データＢＤのページ（番号）に対応する説明開始タイミング情報を送信しない。本実施形態によれば、教師端末１０から説明開始タイミング情報を授業データ管理装置５０に送信する場合に、教師の主体的な説明開始タイミング情報の入力操作を低減することができる。
【０１４９】
（その他の実施形態４）
図１６は、教師端末１０及び生徒端末３０−１の教科書データが一定時間以上異なる場合に確認タイミング情報を保存する動作を説明する説明図である。図１７は、教師端末１０及び生徒端末３０−１の教科書データが一定時間以上異なる場合に確認タイミング情報を保存する動作を説明するフローチャートである。本実施形態では、生徒端末３０−１から確認タイミング情報が授業データ管理装置５０に送信されなくても、授業データ管理装置５０は、教師端末１０及び生徒端末３０−１の各教科書データが一定時間以上異なる場合に、生徒端末３０−１が確認タイミング情報を送信したとみなして、確認タイミング情報を保存する。これにより、生徒の主体的な確認タイミング情報の入力操作を低減可能とする。
【０１５０】
授業データ管理装置５０の教科書内容比較部５９は、タイマ５２からの出力を基に、教師端末１０及び生徒端末３０−１の各出力部（１６，３６）における表示画面に出力（表示）されている各教科書データの内容を定期的に比較する。図１６に示す様に、同図の矢印の左側の教師端末１０の表示画面の教科書データＢＤ（明治維新の内容）と、同図の矢印の右側の生徒端末３０−１の表示画面の教科書データＢＤ（因数分解の内容）とが一定時間以上異なっているとする。
【０１５１】
この場合、教科書内容比較部５９は、一定時間の終了時刻を入力時点とした確認タイミング情報を記録データ管理ＤＢ６１に保存する。即ち、或る科目（例えば日本史）の授業中には教師端末１０と生徒端末３０−１との間では同一科目の教科書データが用いられることが考えられる。しかしながら、図１６に示す様に、生徒端末３０−１の表示画面において授業の科目と全く異なる内容の教科書データが出力（表示）されている場合には、生徒は授業についていけなくなっている、理解できなくなっている又は興味を持っていないということになる。上述した各実施形態では、生徒端末３０−１から確認タイミング情報が送信されなければならないが、本実施形態では、生徒端末３０−１からの主体的な確認タイミング情報の入力操作を不要とし、授業データ管理装置５０が生徒端末３０−１からの確認タイミング情報の入力操作を支援することができる。
【０１５２】
本実施形態の授業データ管理装置５０の動作の詳細について図１７を参照して説明する。図１７において、教科書内容比較部５９は、教師端末１０及び生徒端末３０−１からそれぞれ表示画面に出力（表示）されている教科書データＢＤの内容を取得した場合に（Ｓ８１、ＹＥＳ）、各教科書データＢＤの内容が異なっているか否かを判定する（Ｓ８２）。各教科書データＢＤの内容が異なっていると判定された場合に（Ｓ８２、ＹＥＳ）、教科書内容比較部５９は、各教科書データＢＤの内容が異なっていることを認識する（Ｓ８３）。教科書内容比較部５９は、ステップＳ８３において各教科書データＢＤの内容が異なっていることを認識したときのタイマ５２の出力（時計情報）を保持する。
【０１５３】
教科書内容比較部５９は、各教科書データＢＤの内容が異なっている状態が一定時間以上継続した場合には（Ｓ８４、ＹＥＳ）、上述したステップＳ８３において各教科書データＢＤの内容が異なっていることを認識したときのタイマ５２の出力（時計情報）を、生徒からの確認タイミング情報の入力時刻として確認タイミング保存更新部５５に出力する。確認タイミング保存更新部５５は、教科書内容比較部５９から出力されたタイマ５２の出力を生徒端末３０−１からの確認タイミング情報の入力時刻として記録データ管理ＤＢ６１に保存する（Ｓ８５）。以上により、本実施形態によれば、生徒端末３０−１から確認タイミング情報を授業データ管理装置５０に送信する場合に、生徒の主体的な確認タイミング情報の入力操作を低減することができる。
【０１５４】
（その他の実施形態５）
図１８は、カメラ３７を有する生徒端末３０−１において生徒が一定時間以上フレームアウトしている場合に授業データ管理装置５０が確認タイミング情報を保存する動作を説明するフローチャートである。本実施形態も同様に、生徒端末３０−１から確認タイミング情報を授業データ管理装置５０に送信する場合に生徒の主体的な確認タイミング情報の入力操作を低減する。
【０１５５】
図１８において、生徒端末３０−１のカメラ３７は、生徒が授業中に一定時間フレームアウト、即ち、カメラ３７の撮影範囲から離席しているかどうかを常に監視及び判定している（Ｓ９１）。生徒が授業中に一定時間フレームアウトしているとカメラ３７により判定された場合には（Ｓ９１、ＹＥＳ）、授業データ管理装置５０の通信部６５は、生徒端末３０−１から送信されたユーザＩＤとユーザＩＤに対応する生徒がフレームアウトしている旨とを受信する（Ｓ９２）。通信部６５は、ステップＳ９２においてユーザＩＤとユーザＩＤに対応する生徒がフレームアウトしている旨とを受信したときの受信時刻（タイマ５２の出力）を確認タイミング保存更新部５５に出力する。
【０１５６】
確認タイミング保存更新部５５は、通信部６５から出力されたユーザＩＤとユーザＩＤに対応する生徒がフレームアウトしている旨とが受信されたときの受信時刻を、生徒端末３０−１からの確認タイミング情報の入力時刻として記録データ管理ＤＢ６１に保存する（Ｓ９３）。以上により、本実施形態によれば、生徒端末３０−１から確認タイミング情報を授業データ管理装置５０に送信する場合に生徒の主体的な確認タイミング情報の入力操作を低減することができる。
【０１５７】
以上、図面を参照しながら各種の実施の形態について説明したが、本発明はかかる例に限定されないことは言うまでもない。当業者であれば、特許請求の範囲に記載された範疇内において、各種実施の形態の変更例または修正例、更に各種実施の形態の組み合わせ例に想到し得ることは明らかであり、それらについても当然に本発明の技術的範囲に属するものと了解される。
【０１５８】
上述した各実施形態では、授業データ管理装置５０は、授業データ生成部５７によって授業データ全体を、授業中に生徒端末３０−１から送信された確認タイミングを再生起点として再生可能に予め分割された結果として生成された授業データを生徒端末３０−１に送信していた。授業データ管理装置５０は、授業データ生成部５７によって授業データ全体及び当該授業データ全体のうち確認タイミングの受信時刻から最も近い以前に受信された説明開始タイミング情報（説明開始タイミング）から再生する授業データを再生する旨の再生指示を、授業中に生徒端末３０−１から送信された確認タイミングを再生起点として再生可能な授業データとして生徒端末３０−１に送信しても良い。この場合、生徒端末３０−１は、授業データ全体のうち、再生指示により指定された説明開始タイミングの時点から授業データを再生する。
【０１５９】
上述した各実施形態と異なり、教師端末１０が授業データ管理装置５０の制御部５１の機能を含む様に構成されても良い。図１９は、授業データ管理システム１００ｂのシステム構成の他の一例を示すシステム構成図である。図２０（Ａ）は、授業データ管理システム１００ｂにおける教師端末１０ｂのハードウェア構成の他の一例を示すブロック図である。図２０（Ｂ）は、教師端末１０ｂの制御部１１ｂの内部構成を示すブロック図である。制御部１１ｂは、第１の実施形態の教師端末１０の制御部１１の機能に、授業データ管理装置５０の制御部５１の機能を更に含む様に構成されている。
【０１６０】
図１９の授業データ管理システム１００ｂにおいては、図１の授業データ管理システム１００と異なり、授業データ管理装置５０が含まれておらず、授業データ管理装置５０の制御部５１の機能を教師端末１０ｂ又は生徒端末３０ｂ−１（他の生徒端末も同様とする）が含む様に構成されている。
【０１６１】
図１９においては教科書データ管理ＤＢ６４が教師端末１０といずれの生徒端末とにも保存されていない様に図示されているが、教科書データ管理ＤＢ６４は教師端末１０ｂが含む様に構成されても良い。
【０１６２】
また、図１９の授業データ管理システム１００ｂにおいて、各生徒端末からの確認タイミング情報は先ず各生徒端末において保存されても良い。図１９の授業データ管理システム１００ｂにおいて、各生徒端末も図２０の教師端末１０ｂと同様の構成（特に授業データ管理装置５０の制御部５１の機能）を含む様に構成されても良い（図２１参照）。図２１（Ａ）は、授業データ管理システム１００ｂにおける生徒端末３０ｂ−１のハードウェア構成の他の一例を示すブロック図である。図２１（Ｂ）は、生徒端末３０ｂ−１の制御部１１ｂの内部構成を示すブロック図である。制御部３１ｂは、第１の実施形態の生徒端末３０−１の制御部３１の機能に、授業データ管理装置５０の制御部５１の機能を更に含む様に構成されている。
【産業上の利用可能性】
【０１６３】
本発明は、電子教科書を用いた授業の授業データに対して、教師から入力された授業内容の説明開始時点及び各生徒から入力された授業内容の再視聴の入力時点を効率的に管理し、各生徒の所望の授業データを簡易に配信できる授業データ管理装置及び授業データ管理システムとして有用である。
【符号の説明】
【０１６４】
１０  教師端末
１１、３１、５１  制御部
１２、３２、５２  タイマ
１３、３３  操作部
１４、３４  メモリ
１５、３５  出力制御部
１６、３６  出力部
１７  記録制御部
１８、３８、６５  通信部
１９  操作内容監視部
２０、３９  ＲＡＭ
２１、４０  ＲＯＭ
３０−１、３０−２、３０−ｎ  生徒端末
３７  カメラ
５０  授業データ管理装置
５３  ユーザ識別部
５４  授業データ関連情報生成部
５５  確認タイミング保存更新部
５６  説明開始起点抽出部
５７  授業データ分割生成部
５８  授業データ取得部
５９  教科書データ比較部
６０  データベース
６１  記録データ管理ＤＢ
６２  個人情報管理ＤＢ
６３  授業情報管理ＤＢ
６４  教科書データ管理ＤＢ
７０  ビデオカメラ
１００  授業データ管理システム
【図１】
2013011668.tif 000003
【図２】
2013011668.tif 000004
【図３】
2013011668.tif 000005
【図４】
2013011668.tif 000006
【図５】
2013011668.tif 000007
【図６】
2013011668.tif 000008
【図７】
2013011668.tif 000009
【図８】
2013011668.tif 000010
【図９】
2013011668.tif 000011
【図１０】
2013011668.tif 000012
【図１１】
2013011668.tif 000013
【図１２】
2013011668.tif 000014
【図１３】
2013011668.tif 000015
【図１４】
2013011668.tif 000016
【図１５】
2013011668.tif 000017
【図１６】
2013011668.tif 000018
【図１７】
2013011668.tif 000019
【図１８】
2013011668.tif 000020
【図１９】
2013011668.tif 000021
【図２０】
2013011668.tif 000022
【図２１】
2013011668.tif 000023